(57)【要約】【課題】精度よくイオン量を検出することができるイオン発生機を提供する。【解決手段】イオン発生機１は、筐体１０と、第１送風機５１Ａと、第２送風機５１Ｂと、第１イオン発生装置６０Ａと、第２イオン発生装置６０Ｂと、第１イオン検出部７０Ａと、第２イオン検出部７０Ｂと、第１イオン検出部７０Ａによる第１検出結果および第２イオン検出部７０Ｂによる第２検出結果が入力される制御部４０と、を備え、第１イオン検出部７０Ａと第２イオン検出部７０Ｂとは互いに異なる検出感度を有し、制御部４０は、第１検出結果と第２検出結果とに基づいて全体のイオン量を検知する際に、第１イオン検出部７０Ａおよび第２イオン検出部７０Ｂのうち検出感度の高い側の検出部による検出結果を、検出感度が低い側の検出部による検出結果よりも重みづけを大きくして、全体のイオン量を検知する。【選択図】図２
2016106677.tif 000002
【特許請求の範囲】
【請求項１】
外部に向けて空気を吹出す第１吹出口および第２吹出口が設けられた筐体と、
前記第１吹出口に空気を送風する第１送風機と、
前記第２吹出口に空気を送風する第２送風機と、
前記第１送風機によって送風される空気にイオンを付与する第１イオン発生装置と、
前記第２送風機によって送風される空気にイオンを付与する第２イオン発生装置と、
前記第１イオン発生装置によってイオンが付与された空気に含まれるイオン量を検出する第１イオン検出部と、
前記第２イオン発生装置によってイオンが付与された空気に含まれるイオン量を検出する第２イオン検出部と、
前記第１イオン検出部による第１検出結果および前記第２イオン検出部による第２検出結果が入力される制御部と、を備え、
前記第１イオン検出部と前記第２イオン検出部とは互いに異なる検出感度を有し、
前記制御部は、前記第１検出結果と前記第２検出結果とに基づいて全体のイオン量を検知する際に、前記第１イオン検出部および前記第２イオン検出部のうち前記検出感度の高い側の検出部による検出結果を、前記第１イオン検出部および前記第２イオン検出部のうち前記検出感度が低い側の検出部による検出結果よりも重みづけを大きくして、前記全体のイオン量を検知する、イオン発生機。
【請求項２】
前記第１イオン検出部は前記第１イオン発生装置の近傍に配置され、前記第２イオン検出部が前記第１イオン発生装置と前記第１イオン検出部との距離よりも離れて前記第２吹出口側に配置されることにより、前記第１イオン検出部の前記検出感度が前記第２イオン検出部の前記検出感度よりも高くなるように構成された、請求項１に記載のイオン発生機。
【請求項３】
前記第１イオン検出部および前記第２イオン検出部のそれぞれは、前記検出感度を可変に調節可能に設けられた、請求項１に記載のイオン発生機。
【請求項４】
前記制御部は、前記第１送風機および前記第２送風機が駆動してから所定の時間経過に一定時間内における前記第１送風機の第１回転数および前記第２送風機の第２回転数を検出し、前記第１回転数が前記第２回転数よりも大きい場合に、前記第１イオン検出部の前記検出感度を前記第２イオン検出部の前記検出感度よりも大きくし、前記第１回転数が前記第２回転数よりも小さい場合に、前記第１イオン検出部の前記検出感度を前記第２イオン検出部の前記検出感度よりも小さくする、請求項３に記載のイオン発生機。
【請求項５】
吸込口および吹出口が設けられた筐体と、
前記筐体内に収容され、前記吸込口から吸込んだ空気を前記吹出口に向けて送風する送風機と、
前記送風機によって送風される空気にイオンを付与するイオン発生装置と、
前記筐体を支持可能に前記筐体の底面部側に設けられた脚部と、を備え、
前記脚部は、前記筐体の前記底面部と平行な方向に回転軸を有し、前記回転軸まわりに回動可能に設けられている、イオン発生機。
【発明の詳細な説明】
【技術分野】
【０００１】
本発明は、筐体に設けられた吹出口からイオンを含む空気を吹出すイオン発生機に関する。
【背景技術】
【０００２】
近年、健康志向の高まりからウィルス除去対策や花粉等のアレル物質対策、カビ菌対策としてイオン発生機が主流となっており、イオンを発生する空調機器が数多く商品化されている。また、イオンは人体に影響が無いことが確認されており、量が多ければ多いほど効果効能が高いとされている。
【０００３】
しかし、ユーザは、放出されるイオン自体が目に見えないため、製品の長期間の使用による劣化でイオンの発生量が少なくなっても、その影響を実感しにくい。そこで、イオンを発生する空調機器では、イオン発生量をイオン量検知手段（イオンセンサー）で検知し、イオン量の減少を検知した場合イオン発生デバイスの清掃や部品交換を促す。
【０００４】
このようなイオン量検知手段が設けられたイオン発生機が開示された文献として、特開２０１３−７２５８４号公報（特許文献１）が挙げられる。特許文献１に開示のイオン発生機においては、筐体内に設けられた第１送風経路内に第１送風機および空気浄化部が設置され、筐体内に第１送風経路とは別途設けられた第２送風経路内に送風機およびイオン発生装置が設置される。また、第２送付経路内には、イオン量検知手段が設けられている。イオン量検知手段によって検知されたイオン量が所定のイオン量を下回る場合には、イオン発生装置に汚染または劣化が生じていると判断される。
【先行技術文献】
【特許文献】
【０００５】
【特許文献１】特開２０１３−７２５８４号公報
【発明の概要】
【発明が解決しようとする課題】
【０００６】
室内の大きさ等が大きくなり、イオン発生機から外部に送出するイオン量を多く必要とする場合には、２つの送風経路内のそれぞれにイオン発生装置を設けることが必要となる。２つの送風経路を設けた場合には、２つの吸込口の設置位置、状態等の如何によっては外部から空気を吸込む量がそれぞれ異なる場合が起こり得る。一方の吸込口の吸込量が少ない場合には、これに対応する一方の吹出口からの吹出量も少なくなる。
【０００７】
ここで、イオン量検知手段（イオンセンサー）は、イオン発生デバイスから発生したイオンを、基板上に設けた集電電極で捕集して電流に変換することで、現状のイオン量を算出している。イオン発生装置から発生するイオン量が多い場合は得られる電流値も多く、イオン量が少ない場合は得られる電流値も少なくなる。
【０００８】
従来のイオン量検知手段（イオンセンサー）は、発生したイオンを基板上に設けた集電電極で捕集して電流に変換することでイオン量として算出する。このため、イオン量検知の精度を上げるために、イオン発生装置の近傍（特に風下）に設置し、発生するイオン量に応じたイオンを十分に捕集させる。
【０００９】
しかしながら、２つの送風経路内において対応する位置にイオン発生装置をそれぞれ設置した場合であっても、上述のように一方の送風経路においては風量が小さく、他方の送風経路では風量が多くなる場合には、各吹出口から吹き出されるイオンの量が異なる。すなわち、各イオン発生装置の集電電極で捕集するイオン量も異なる。このため、同一条件でイオン発生装置を用いてイオン発生させた場合であっても、検出結果にバラツキが生じてしまい、正確にイオン量を検知することが困難であった。
【００１０】
また、床面に設置されるイオン発生機にあっては、使用者に直接空気流が当たらないように上方側に向けて空気流を送風したい場合がある。さらに、長期間に亘って設置している場合には、イオン発生機の直下における床面上には塵や埃が堆積する。また、イオン発生機が、その底面側から空気を吸い込むように構成されている場合には、長期の使用により底面側が塵や埃等によって汚染される場合がある。
【００１１】
このような場合には、筐体を上下方向に移動可能となるように構成し、筐体を上方へ移動させて、筐体の底面部と床面との間に形成される隙間を確保することにより、空気を上方へ送風することができるとともに、清掃を容易にすることが可能となる。
【００１２】
しかしながら、上下方向のみに筐体を移動させて空気を上方へ移動させるには、相当程度の高さまで筐体を移動させる必要がある。このため、単に筐体を支持する脚部に対して筐体を上下方向にスライド移動させるような構造とした場合には、高い位置で筐体を支持する際の姿勢が不安定となる。このような構造で、筐体を安定させるためには、脚部の土台部が幅広となるように設ける必要が生じ、構造が大掛かりとなり、また、脚部に人の足が引っかかる恐れもある。
【００１３】
本発明は、上記のような問題に鑑みてなされたものであり、本発明の第１の目的は、精度よくイオン量を検出することができるイオン発生機を提供することにある。
【００１４】
本発明の第２の目的は、簡易な構成で筐体の姿勢を変更できるとともに、筐体の高さ位置を変更することができるイオン発生機を提供することにある。
【課題を解決するための手段】
【００１５】
本発明の第１の局面に基づくイオン発生機は、外部に向けて空気を吹出す第１吹出口および第２吹出口が設けられた筐体と、上記第１吹出口に空気を送風する第１送風機と、上記第２吹出口に空気を送風する送風機と、上記第１送風機によって送風される空気にイオンを付与する第１イオン発生装置と、上記第２送風機によって送風される空気にイオンを付与する第２イオン発生装置と、上記第１イオン発生装置によってイオンが付与された空気に含まれるイオン量を検出する第１イオン検出部と、上記第２イオン発生装置によってイオンが付与された空気に含まれるイオン量を検出する第２イオン検出部と、上記第１イオン検出部による第１検出結果および上記第２イオン検出部による第２検出結果が入力される制御部と、を備え、上記第１イオン検出部と上記第２イオン検出部とは互いに異なる検出感度を有し、上記制御部は、上記第１検出結果と上記第２検出結果とに基づいて全体のイオン量を検知する際に、上記第１イオン検出部および上記第２イオン検出部のうち上記検出感度の高い側の検出部による検出結果を、上記第１イオン検出部および上記第２イオン検出部のうち上記検出感度が低い側の検出部による検出結果よりも重みづけを大きくして、上記全体のイオン量を検知する。
【００１６】
上記本発明の第１の局面に基づくイオン発生機にあっては、上記第１イオン検出部は上記第１イオン発生装置の近傍に配置されることが好ましく、上記第２イオン検出部が上記第１イオン発生装置と上記第１イオン検出部との距離よりも離れて上記第２吹出口側に配置されることにより、上記第１イオン検出部の上記検出感度が上記第２イオン検出部の上記検出感度よりも高くなるように構成されることが好ましい。
【００１７】
上記本発明の第１の局面に基づくイオン発生機にあっては、上記第１イオン検出部および上記第２イオン検出部のそれぞれは、上記検出感度を可変に調節可能に設けられることが好ましい。
【００１８】
上記本発明の第１の局面に基づくイオン発生機にあっては、上記制御部は、上記第１送風機および上記第２送風機が駆動してから所定の時間経過に一定時間内における上記第１送風機の第１回転数および上記第２送風機の第２回転数を検出してもよい。この場合には、上記第１回転数が上記第２回転数よりも大きい場合に、上記第１イオン検出部の上記検出感度を上記第２イオン検出部の上記検出感度よりも大きくすることが好ましく、上記第１回転数が上記第２回転数よりも小さい場合に、上記第１イオン検出部の上記検出感度を上記第２イオン検出部の上記検出感度よりも小さくすることが好ましい。
【００１９】
上記本発明の第１の局面に基づくイオン発生機は、上記第１送風機近傍に配置され、測定した温度情報を上記制御部に入力する第１サーミスタと、上記送風機近傍に配置され、測定した温度情報を上記制御部に入力する第２サーミスタと、をさらに備えていてもよい。この場合には、上記制御部は、上記第１送風機および上記送風機が駆動してから所定の時間経過後に上記第１サーミスタによって測定された上記第１送風機近傍の温度および上記第２サーミスタによって測定された上記送風機近傍の温度を比較し、上記第１送風機近傍の温度が上記送風機近傍の温度よりも高い場合に、上記第１イオン検出部の上記検出感度を上記第２イオン検出部の上記検出感度よりも大きくすることが好ましく、上記第１送風機近傍の温度が上記送風機近傍の温度よりも低い場合に、上記第１イオン検出部の上記検出感度を上記第２イオン検出部の上記検出感度よりも小さくすることが好ましい。
【００２０】
上記本発明の第１の局面に基づくイオン発生機は、上記第１吹出口に連通し、外部の空気を吸込む第１吸込口と、上記第２吹出口に連通し、外部の空気を吸込む第２吸込口と、上記第１吸込口近傍に配置され、測定した温度情報を上記制御部に入力する第１自己発熱型サーミスタと、上記第２吸込口近傍に配置され、測定した温度情報を上記制御部に入力する第２自己発熱型サーミスタと、をさらに備えていてもよい。この場合には、上記制御部は、上記第１送風機および上記送風機が駆動してから所定の時間経過後に、一定時間通電させた上記第１自己発熱型サーミスタによって測定された上記第１吸込口近傍の温度および上記一定時間通電させた上記第２自己発熱型サーミスタによって測定された上記第２吸込口近傍の温度を比較し、上記第１吸込口近傍の温度が上記第２吸込口近傍の温度よりも大きい場合に、上記第１イオン検出部の上記検出感度を上記第２イオン検出部の上記検出感度よりも大きくすることが好ましく、上記第１吸込口近傍の温度が上記第２吸込口近傍の温度よりも小さい場合に、上記第１イオン検出部の上記検出感度を上記第２イオン検出部の上記検出感度よりも小さくすることが好ましい。
【００２１】
上記本発明の第１の局面に基づくイオン発生機にあっては、上記第１吹出口および上記第２吹出口は、水平方向に並んで配置されてもよい。この場合には、上記第１送風機および上記送風機は、上記第１吹出口および上記第２吹出口に対応して、水平方向に並んで配置されることが好ましい。
【００２２】
上記本発明の第１の局面に基づくイオン発生機にあっては、上記第１吹出口および上記第２吹出口は、上下方向に並んで配置されてもよい。この場合には、上記第１送風機および上記送風機は、上記第１吹出口および上記第２吹出口に対応して、上下方向に並んで配置されることが好ましい。
【００２３】
本発明の第２の局面に基づくイオン発生機は、吸込口および吹出口が設けられた筐体と、上記筐体内に収容され、上記吸込口から吸込んだ空気を上記吹出口に向けて送風する送風機と、上記送風機によって送風される空気にイオンを付与するイオン発生装置と、上記筐体を支持可能に上記筐体の底面部側に設けられた脚部と、を備える。上記脚部は、上記筐体の上記底面部と平行な方向に回転軸を有し、上記回転軸まわりに回動可能に設けられている。
【００２４】
上記本発明の第２の局面に基づくイオン発生機にあっては、上記底面部は、底面視した場合に略矩形形状を有することが好ましい。この場合には、上記脚部は、上記底面部側の四隅に設けられることが好ましく、底面視した場合に全体が上記底面部に重なるように上記底面部に略平行に沿って配置された状態から、少なくとも一部が上記底面部の外側にはみ出るように上記底面部に略平行に沿って配置される状態まで、上記底面部の下方にて回動可能に設けられていることが好ましい。
【００２５】
上記本発明の第２の局面に基づくイオン発生機は、上記脚部の周囲を覆い、上記脚部の延在方向に沿って移動可能に設けられたカバーを、さらに備えていてもよい。この場合には、上記脚部が床面に対して傾斜した状態で上記筐体を支持する場合に、上記カバーを上記脚部の下端側に固定することにより、上記脚部が上記カバーを介して床面に接触することが好ましい。
【００２６】
上記本発明の第２の局面に基づくイオン発生機にあっては、上記脚部は、上記下端にキャスターを含んでいてもよい。この場合には、上記カバーは、上記脚部の上記下端側に固定された状態において上記キャスターを覆うことが好ましい。
【発明の効果】
【００２７】
本発明の第１の局面によれば、精度よくイオン量を検出することができるイオン発生機を提供することにある。
【００２８】
本発明の第２の局面によれば、簡易な構成で筐体の姿勢を変更できるとともに、筐体の高さ位置を変更することができるイオン発生機を提供することにある。
【図面の簡単な説明】
【００２９】
【図１】実施の形態１に係るイオン発生機の外観斜視図である。
【図２】図１に示すＩＩ−ＩＩ線に沿った断面図である。
【図３】図１に示すイオン発生機に具備される送風ユニットの斜視図である。
【図４】図２に示すイオン発生装置の平面図である。
【図５】図４に示す矢印Ｖ方向から見たイオン発生装置の正面図である。
【図６】図４に示す矢印ＶＩ方向から見たイオン発生装置の正面図である。
【図７】図１に示すイオン発生機から吹出される空気流を示す図である。
【図８】図２に示すイオン検出部の回路基板の部品搭載面側およびイオン集電面側を示す図である。
【図９】図８に示すイオン検出部の回路構成を示すブロック図である。
【図１０】実施の形態２に係るイオン発生機の外観斜視図である。
【図１１】図１０に示すイオン発生機の正面図である。
【図１２】図１０に示すＸＩＩ−ＸＩＩ線に沿った断面図である。
【図１３】図１０に示すイオン発生機においてイオン量を検出するための構成を示すブロック図である。
【図１４】図１０に示すイオン発生機においてイオン量を検出するフローを示す図である。
【図１５】実施の形態３に係るイオン発生機の断面図である。
【図１６】図１５に示すイオン発生機においてイオン量を検出するための構成を示すブロック図である。
【図１７】図１５に示すイオン発生機においてイオン量を検出するフローを示す図である。
【図１８】実施の形態４に係るイオン発生機の断面図である。
【図１９】図１８に示すイオン発生機においてイオン量を検出するための構成を示すブロック図である。
【図２０】図１８に示すイオン発生機においてイオン量を検出するフローを示す図である。
【図２１】実施の形態５に係るイオン発生機の外観斜視図である。
【図２２】図２１に示すＸＸＩＩ−ＸＸＩＩ線に沿った断面図である。
【図２３】図２１に示すイオン発生機の第１の姿勢を示す図である。
【図２４】図２１に示すイオン発生機の第２の姿勢を示す図である。
【図２５】図２１に示すイオン発生機の第３の姿勢を示す図である。
【図２６】図２１に示すイオン発生機の第４の姿勢を示す図である。
【図２７】実施の形態６に係るイオン発生機の第５の姿勢を示す側面図である。
【図２８】実施の形態６に係るイオン発生機の第６の姿勢を示す側面図である。
【図２９】図２７に示すカバー部材が第１位置にある状態を示す図である。
【図３０】図２７に示すカバー部材が第２位置にある状態を示す図である。
【発明を実施するための形態】
【００３０】
以下、本発明の実施の形態について、図を参照して詳細に説明する。なお、以下に示す実施の形態においては、同一のまたは共通する部分について図中同一の符号を付し、その説明は繰り返さない。
【００３１】
（実施の形態１）
図１は、本実施の形態に係るイオン発生機の外観斜視図である。図２は、図１に示すＩＩ−ＩＩ線に沿った断面図である。図１および図２を参照して、本実施の形態に係るイオン発生機１について説明する。
【００３２】
図１および図２に示すように、本実施の形態に係るイオン発生機１は、送風ユニット２Ａ，２Ｂと、当該送風ユニット２Ａ，２Ｂを収容する筐体１０と、制御部４０と、イオン検出部７０Ａ，７０Ｂとを備える。イオン検出部７０Ａおよびイオン検出部７０Ｂは、第１イオン検出部および第２イオン検出部に相当する。
【００３３】
筐体１０は、上下方向（図中Ｚ軸方向）に沿って並んで配置されている送風ユニット２Ａ，２Ｂのうち上側に配置される送風ユニット２Ａの一部を収容する収容部１２と、側面の一方側（右側）に設けられた吸込口１１とを含む。
【００３４】
筐体１０の正面側には、開口部１４，１５が設けられている。開口部１４は、収容部１２の正面側に位置し、開口部１５は、筐体１０の正面側の略中央に位置する。開口部１４は、正面側から見た場合に略上下方向（Ｚ軸方向）に延在する長辺と略左右方向（図中Ｘ軸方向）に延在する短辺とを有する。開口部１５は、正面から見た場合に略上下方向に延在する短辺と左右方向に延在する長辺とを有する。
【００３５】
開口部１４，１５の長辺側からは、後述する風向調整ユニット３Ａ，３Ｂが、送風下流側（図中Ｙ軸負方向）に向けて突出している。
【００３６】
送風ユニット２Ａは、送風機５１Ａと、送風ダクト５３Ａと、イオン発生装置６０Ａと、吹出ダクト１００Ａと、吹出口１００Ａ１と、風向調整ユニット３Ａとを含む。送風ユニット２Ｂは、送風機５１Ｂと、送風ダクト５３Ｂと、イオン発生装置６０Ｂと、吹出ダクト１００Ｂと、吹出口１００Ｂ１と、風向調整ユニット３Ｂとを含む。
【００３７】
送風機５１Ａおよび送風機５１Ｂは、第１送風機および第２送風機に相当し、イオン発生装置６０Ａおよびイオン発生装置６０Ｂは、第１イオン発生装置および第２イオン発生装置に相当する。また、吹出口１００Ａ１および吹出口１００Ｂ１は、第１吹出口および第２吹出口に相当する。
【００３８】
送風機５１Ａおよび送風機５１Ｂは、吸込口１１からイオン発生機１外部の空気を取り込み、取り込んだ空気を吹出口１００Ａ１，吹出口１００Ｂ１に向けて送出する。送風機５１Ａおよび送風機５１Ｂは、それぞれの送風機の回転軸が互いに平行となるように設けられている。送風機５１Ａおよび送風機５１Ｂとしては、シロッコファン、プロペラファン、ターボファン形式の送風機を採用することができる。
【００３９】
吹出ダクト１００Ａ，１００Ｂは、イオン発生装置６０Ａ，６０Ｂを介して送風ダクト５３Ａ，５３Ｂに接続されている。イオン発生装置６０Ａ，６０Ｂには、後述する送風空間６４ａ，６４ｂ（図４参照）が形成されており、この送風空間６４ａ，６４ｂによって吹出ダクト１００Ａ，１００Ｂの内部と送風ダクト５３Ａ，５３Ｂの内部とが連通している。
【００４０】
このように、吹出ダクト１００Ａ，１００Ｂと送風ダクト５３Ａ，５３Ｂとを接続することにより、送風経路５２Ａ，５２Ｂを規定するダクト４Ａ，４Ｂが構成される。なお、ダクト４Ａ，４Ｂは、吹出ダクト１００Ａ，１００Ｂと送風ダクト５３Ａ，５３Ｂが一体に形成されることにより構成されていてもよい。
【００４１】
吹出口１００Ａ１は、送風下流側における吹出ダクト１００Ａの開口端によって規定される。吹出口１００Ａ１は、送風機５１Ａから送風された空気を外部に向けて吹き出す。吹出口１００Ａ１の送風下流側には、風向調整ユニット３Ａが設けられている。風向調整ユニット３Ａは、吹出ダクト１００Ａの開口端部近傍に接続される。
【００４２】
吹出口１００Ｂ１は、送風下流側における吹出ダクト１００Ｂの開口端によって規定される。吹出口１００Ｂ１は、送風機５１Ｂから送風された空気を外部に向けて吹き出す。吹出口１００Ｂ１の送風下流側には、風向調整ユニット３Ｂが設けられている。風向調整ユニット３Ｂは、吹出ダクト１００Ｂの開口端部近傍に接続される。
【００４３】
送風ユニット２Ａにおいて、イオン発生装置６０Ａ側に位置する送風ダクト５３Ａの開口部は、図中ＤＲ１方向が長手方向、図中Ｘ軸方向が短手方向となるように形成されている。これに対応して吹出口１００Ａ１も図中ＤＲ１方向が長手方向、図中Ｘ軸方向が短手方向となるように形成されている。吹出口１００Ａ１は、その法線方向から見た場合に略矩形形状を有する。
【００４４】
送風ユニット２Ｂにおいて、イオン発生装置６０Ｂ側に位置する送風ダクト５３Ｂの開口部は、図中ＤＲ２方向が短手方向、図中略Ｘ軸方向が長手方向となるように形成されている。これに対応して吹出口１００Ｂ１も図中Ｘ軸方向が長手方向、図中ＤＲ２方向が短手方向となるように形成されている。吹出口１００Ｂ１は、その法線方向から見た場合に略矩形形状を有する。
【００４５】
なお、ＤＲ１方向およびＤＲ２方向がＸＺ平面に対して傾斜した場合を例示しているが、これに限定されず、ＸＺ平面に平行であってもよい。また、ＤＲ１方向とＤＲ２方向とは、ＸＺ平面に対する傾斜角が異なるように設定されてもよく、同じになるように設定されてもよい。
【００４６】
吹出ダクト１００Ｂは、正面から見た場合に、その長手方向が吹出ダクト１００Ａの長手方向に交差するように、送風ダクト５３Ｂに接続されている。これにより、風向調整ユニット３Ｂにおいても、正面から見た場合に、その長手方向が風向調整ユニット３Ａの長手方向に交差するように吹出ダクト１００Ｂに取り付けられている。
【００４７】
たとえば、正面から見た場合に、吹出ダクト１００Ｂの長手方向と吹出ダクト１００Ａの長手方向とは略直交し、風向調整ユニット３Ｂの長手方向と風向調整ユニット３Ａの長手方向とは略直交する。
【００４８】
吹出ダクト１００Ａ，１００Ｂ内には、防護網１８Ａ，１８Ｂが配置されている。防護網１８Ａ，１８Ｂは、吹出口１００Ａ１および吹出口１００Ｂ１の送風上流側に配置されている。防護網１８Ａ，１８Ｂは、外部から指などの異物が進入するのを防ぐために設けられている。
【００４９】
イオン発生装置６０Ａ，６０Ｂは、イオンを発生させ、送風機によって送風される空気に対してイオンを付与する。付与されたイオンは、ダクト４Ａ，４Ｂ中を通り、吹出口１００Ａ１，吹出口１００Ｂ１から外部に吹出される。イオン発生装置６０Ａ，６０Ｂは、ダクト４Ａ，４Ｂに対して着脱自在に取り付けられる。また、イオン発生装置６０Ａは、長手方向がＤＲ１方向に沿うようにダクト４Ａに組み付けられ、イオン発生装置６０Ｂは、長手方向がＸ軸に沿うようにダクト４Ｂに組み付けられる。
【００５０】
イオン検出部７０Ａ，７０Ｂは、イオン発生装置６０Ａ，６０Ｂによってイオンが付与された空気に含まれるイオン量を検出する。イオン検出部７０Ａ，７０Ｂは、イオン発生装置６０Ａ，６０Ｂよりも送風下流側に配置される。
【００５１】
イオン検出部７０Ａは、イオン検出部７０Ｂと比較して、イオン発生装置６０Ａ寄りの位置に配置される。イオン検出部７０Ｂは、イオン検出部７０Ａと比較して、イオン発生装置６０Ｂよりも遠い側に配置される。
【００５２】
すなわち、イオン検出部７０Ａはイオン発生装置６０Ａの近傍に配置され、イオン検出部７０Ｂは、イオン発生装置６０Ａとイオン検出部７０Ａとの距離よりも離れて吹出口１００Ｂ１側に配置される。なお、イオン検出部７０Ａ，７０Ｂの詳細については、図８および図９を用いて後述する。
【００５３】
図３は、図１に示すイオン発生機に具備される送風ユニットの斜視図である。図３を参照して、送風ユニット２Ａにおける風向調整ユニット３Ａの詳細について説明する。
【００５４】
図３に示すように、風向調整ユニット３Ａは、風向調整部２０Ａ、第１漏気防止部８１Ａ、第２漏気防止部８２Ａおよび駆動機構１０５とを含む。風向調整ユニット３Ａは、吹出ダクト１００Ａに回動可能に取り付けられている。
【００５５】
風向調整部２０Ａは、互いに離間して対向配置される第１風向調整板２１Ａおよび第２風向調整板２２Ａと、これらの基端部２１ａ，２２ａの一端側同士および他端側同士を第１風向調整板２１Ａおよび第２風向調整板２２Ａが並ぶ方向に亘って接続する接続部２３Ａとを含む。
【００５６】
第１風向調整板２１Ａおよび第２風向調整板２２Ａは、送風下流側に向かうにつれて第１風向調整板２１Ａと第２風向調整板２２Ａとの間の間隔が狭くなるように傾斜して配置されている。第１風向調整板２１Ａおよび第２風向調整板２２Ａは、送風上流側に位置する基端部２１ａ，２２ａの幅に比べて送風下流側に向かうにつれて幅（図中Ｗ１）が狭くなっている。
【００５７】
第１風向調整板２１Ａおよび第２風向調整板２２Ａは、たとえば、半円形状、半楕円形状、半多角形状に形成され、互いに鏡面対称に形成されていることが好ましい。第１風向調整板２１Ａおよび第２風向調整板２２Ａは、一定の角度を有するように傾斜して配置されてもよいし、より空気抵抗を低減させるために湾曲して折り曲げられもよいし、段階的に折り曲げられるように構成されていてもよい。
【００５８】
吹出ダクト１００Ａの開口端部１００Ａ２における短辺側には、送風下流側に向けて延在する支持部１０１が設けられている。支持部１０１に風向調整部２０Ａの接続部２３Ａが回動可能に支持される。
【００５９】
第１漏気防止部８１Ａは、第１風向調整板２１Ａと吹出ダクト１００Ａとの間の隙間を覆いつつ第１風向調整板２１Ａの回動に対して追従可能に構成されている。第１漏気防止部８１Ａは、第１風向調整板２１Ａと吹出ダクト１００Ａとの間の隙間を覆うことにより、吹出ダクト１００Ａから吹き出される空気の漏れを抑制できるとともに、当該空気を第１風向調整板２１Ａと第２風向調整板２２Ａとの間の空間に向けて案内することができる。
【００６０】
第２漏気防止部８２Ａは、第２風向調整板２２Ａと吹出ダクト１００Ａとの間の隙間を覆いつつ第２風向調整板２２Ａの回動に対して追従可能に構成されている。第２漏気防止部８２Ａは、第２風向調整板２２Ａと吹出ダクト１００Ａとの間の隙間を覆うことにより、吹出ダクト１００Ａから吹き出される空気の漏れを抑制できるとともに、当該空気を第１風向調整板２１Ａと第２風向調整板２２Ａとの間の空間に向けて案内することができる。
【００６１】
駆動機構１０５は、吹出口１００Ａ１の短辺側を規定する吹出ダクト１００の側面に設けられている。駆動機構１０５は、風向調整部２０Ａを第１風向調整板２１Ａおよび第２風向調整板２２Ａの幅方向と平行な方向に延びる軸線を中心軸として揺動させる。具体的には、駆動機構１０５は、風向調整部２０Ａを左右方向に揺動させる。
【００６２】
風向調整ユニット３Ｂの構成は、風向調整ユニット３Ａの構成とほぼ同様である。図１に示すように、風向調整ユニット３Ｂは、風向調整部２０Ｂ、第１漏気防止部８１Ｂ、第２漏気防止部８２Ｂおよび駆動機構（不図示）を含む。風向調整部２０Ｂは、第１風向調整板２１Ｂ、第２風向調整板２２Ｂおよび接続部（不図示）を含む。
【００６３】
送風ユニット２Ｂにおける送風ダクト５３Ｂは、送風ダクト５３Ａと比較した場合に、送風下流側の部分が送風ダクト５３Ａの中心軸を中心として周方向に略９０度回転した構成となっている。このため、送風ユニット２Ｂにおける風向調整部２０Ｂ、第１漏気防止部８１Ｂ、第２漏気防止部８２Ｂおよび駆動機構は、送風ユニット２Ａにおける風向調整部２０Ａ、第１漏気防止部８１Ａ、第２漏気防止部８２Ａおよび駆動機構１０５が上述同様に略９０度回転したように構成されている。駆動機構は、風向調整部２０Ｂを上下方向に揺動させる。
【００６４】
図４は、図２に示すイオン発生装置の平面図である。図５は、図４に示す矢印Ｖに示す方向から見たイオン発生装置の正面図である。図６は、図４に示す矢印ＶＩに示す方向から見たイオン発生装置の正面図である。図４から図６を参照して、イオン発生装置６０Ａ，６０Ｂについて説明する。
【００６５】
図４から図６に示すように、イオン発生装置６０Ａ，６０Ｂは、ケース６１と、放電電極６５ａ〜６５ｄと、誘導電極（対向電極）６５ｅと、高電圧発生回路部６６と、基板６９ａと、基板６９ｂとを含む。
【００６６】
ケース６１は、上部ケース６２と下部ケース６３とによって構成されている。上部ケース６２は、収容部６２ａ，６２ｂを有する。収容部６２ａと下部ケース６３との間の収容空間には、放電電極６５ａ，６５ｂおよび誘導電極６５ｅを固定する基板６９ａと、高電圧発生回路部６６とが収容される。収容部６２ｂと下部ケース６３との間の収容空間には、放電電極６５ｃ，６５ｄを固定する基板６９ｂが収容される。
【００６７】
上記の収容部６２ａと下部ケース６３との間の収容空間と、収容部６２ｂと下部ケース６３との間の収容空間とを連通する連通部６８を挟んで、ケース６１の内周面によって送風空間６４ａ，６４ｂが形成されている。
【００６８】
放電電極６５ａおよび放電電極６５ｃは、その先端が送風空間６４ａに位置するように、ケース６１に収容されている。また、放電電極６５ａと放電電極６５ｃは、電極の中心軸が互いに同一直線上に位置するように、対向して配置される。
【００６９】
放電電極６５ｂおよび放電電極６５ｄは、その先端が送風空間６４ｂに位置するようにケース６１に収容されている。また、放電電極６５ｂと放電電極６５ｄは、電極の中心軸が互いに同一直線上に位置するように対向して配置される。
【００７０】
これら放電電極６５ａ〜６５ｄは、先端が尖鋭化された針形状を有する。放電電極６５ａ〜６５ｄは、同一平面内に設けられている。放電電極６５ａ〜６５ｄは、各電極の中心軸が互いに平行となるように配置されている。
【００７１】
放電電極６５ａと放電電極６５ｂとは、電極の中心軸に直交する方向に離間して並んでいる。放電電極６５ｃと放電電極６５ｄとは、電極の中心軸に直交する方向に離間して並んでいる。
【００７２】
誘導電極６５ｅは、放電電極６５ａと放電電極６５ｂとの間に配置されている。誘導電極６５ｅは、放電電極６５ａおよび放電電極６５ｂから互いに等しい距離となる位置に設けられ、放電電極６５ｃおよび放電電極６５ｄから互いに等しい距離となる位置に設けられている。
【００７３】
放電電極６５ａと放電電極６５ｃとは、互いに異なる極性のイオンを発生させ、放電電極６５ｂと放電電極６５ｄとは、互いに異なる極性のイオンを発生させる。放電電極６５ａと放電電極６５ｂとは、互いに異なる極性のイオンを発生させ、放電電極６５ｃと放電電極６５ｄとは、互いに異なる極性のイオンを発生させる。
【００７４】
放電電極６５ａに正または負の高電圧が印加され、放電電極６５ｂに負または正の高電圧が印加されると、これら放電電極と誘導電極６５ｅとの間にコロナ放電が発生し、正イオンおよび負イオンが発生する。同様に、放電電極６５ｃに負または正の高電圧が印加され、放電電極６５ｄに正または負の高電圧が印加されると、これら放電電極と誘導電極６５ｅとの間にコロナ放電が発生し、負イオンおよび正イオンが発生する。
【００７５】
放電電極６５ａ〜６５ｄのそれぞれは、高電圧発生回路部６６と電気的に接続されており、高電圧発生回路部６６によって発生された高電圧が放電電極６５ａ〜６５ｄに印加される。
【００７６】
正イオンは、主としてＨ＋（Ｈ２Ｏ）ｎから成り、負イオンは主としてＯ２−（Ｈ２Ｏ）ｍから成る。ｎ、ｍは整数である。正イオンと負イオンが空気中の浮遊菌や臭気成分の表面に凝集すると、化学反応によって活性種である過酸化水素水Ｈ２Ｏ２または水酸基ラジカル［・ＯＨ］が生成される。過酸化水素や水酸基ラジカルは極めて強力な活性を有するため、浮遊菌や臭気成分は破壊される。
【００７７】
図７は、図１に示すイオン発生機から吹出される空気流を示す図である。図７を参照して、イオン発生機１から吹出される空気流について説明する。
【００７８】
図７に示すように、イオン発生機１は、室内７００の一方の側壁７００ｃ側の中央に設置される。イオン発生機１は、床面７００ｂ上に設置される。イオン発生機１は、風向調整部２０Ａ、風向調整部２０Ｂを介して、設置された側壁７００ｃ側とは反対側に位置する他方の側壁７００ｄに向けて第１空気流５および第２空気流６を吹き出す。
【００７９】
吹出口１００Ａ１から吹き出される空気は、風向調整ユニット３Ａ内の風向調整部２０Ａを通過することにより、吹出方向に対して凸状となる円弧を描くように上下方向に放射状に広がる。このように、風向調整部２０Ａを介して扇形状の第１空気流５が吹き出される。
【００８０】
第１空気流５は、水平方向（紙面垂直方向）に対して所定の厚さを有しており、正面から見た場合に帯状の形状を有する。このような形状に空気を絞ることにより、第１空気流５を所定の方向に沿って遠方まで送風することができる。
【００８１】
吹出口１００Ｂ１から吹き出される空気は、風向調整ユニット３Ｂ内の風向調整部２０Ｂを通過することにより、吹出方向に対して凸状となる円弧を描くように左右方向に放射状に広がる。このようにして、風向調整部２０Ｂを介して扇形状の第２空気流６が吹き出される。
【００８２】
第２空気流６は、上下方向に対して所定の厚さを有しており、正面から見た場合に帯状の形状を有する。このような形状に空気を絞ることにより、第２空気流６を所定の方向に沿って遠方まで送風することができる。
【００８３】
第１空気流５および第２空気流６は、中心線５ａ，６ａを有する。ここで、中心線５ａ，６ａは、吹出方向に沿って略円弧状に第１空気流５および第２空気流６を区画して分割した場合に、各区画において最も風速が速い部分を吹出方向に沿って結んだ線を指す。
【００８４】
たとえば、中心線５ａの仰角は、中心線６ａの仰角よりも小さくして、第１空気流５および第２空気流６をと吹出す場合には、第１空気流５の送風範囲と第２空気流６の送風範囲とを広域で重ならせることができる。
【００８５】
第１空気流５は、第２空気流６に衝突することにより、第２空気流６を床面７００ｂ側に拡散させながら側壁７００ｄに向かう。また、第２空気流６は、第１空気流５に衝突することにより第１空気流５を左右方向に拡散させながら側壁７００ｄに向かう。
【００８６】
このような送風方法を用いて、風向調整部２０Ａおよび風向調整部２０Ｂによって上下方向および左右方向に放射状に広がるように絞られた空気を互いに直接衝突させることにより、当該空気を室内に効率よく拡散させることができる。
【００８７】
なお、本実施の形態においては、第１空気流５の送風範囲と第２空気流６の送風範囲とが重なり合うことが可能である限り、中心線５ａと中心線６ａの仰角および方向は適宜選択することができる。
【００８８】
図８は、図２に示すイオン検出部の回路基板の部品搭載面側およびイオン集電面側を示す図である。図８（Ａ）は、イオン検出部の回路基板の部品搭載面側を示す図であり、図８（Ｂ）は、イオン検出部の回路基板のイオン集電面側を示す図である。図９は、図８に示すイオン検出部の回路構成を示すブロック図である。
【００８９】
図８に示すように、イオン検出部７０Ａ，７０Ｂは、センサー基板７０、集電電極７１、計測部７２を含む。センサー基板７０は、イオンを集電する側に位置するイオン集電面７０ａおよび部品を搭載する側に位置する部品搭載面７０ｂを含む。イオン集電面７０ａは、部品搭載面７０ｂの反対側に位置する。
【００９０】
集電電極７１は、イオン集電面７０ａに設けられている。集電電極７１は、イオンが吸着することにより電荷を集める。集電電極７１は、たとえば略矩形形状に形成されるが、電荷を集めることができる限り、その形状を適宜変更することができる。また、集電電極７１は、スルーホール７１ａによって部品搭載面７０ｂ側の電極７１ｂに導通している。
【００９１】
図８および図９に示すように、計測部７２は、各種の電子部品が部品搭載面７０ｂに搭載されることにより構成され、集電電極７１の電位を計測する。計測部７２においては、電極７１ｂが増幅器７４の入力端子に接続されるとともに高抵抗値（ギガオーム程度）の抵抗７３を通して接地されている。
【００９２】
増幅器７４の出力は、センサー出力としてセンサー基板７０とは別の基板（不図示）に設けたＡＤ変換器７５に入力し、ＡＤ変換器７５の出力はマイコン／ＤＳＰ７６に入力している。
【００９３】
マイコン／ＤＳＰ７６での処理結果を表示するモニター７７が設けてある。ＡＤ変換器７５やマイコン／ＤＳＰ７６を搭載した基板（不図示）は筐体１０内に設置され、モニター７７は、たとえば筐体１０の前面側または上面側に設けられている。
【００９４】
イオン発生装置６０Ａ，６０Ｂによって発生した正負イオン（又は負イオン）は、ダクト４Ａ，４Ｂ内を流れる空気に付与されて送風下流側に送られる。吹出口１００Ａ１，１００Ｂ１に至るまでに、イオン検出部７０Ａ，７０Ｂの集電電極７１に正負イオンが接触することにより、当該正負イオンは、集電電極７１で電荷として集められる。
【００９５】
集電電極７１で集めた電荷を単位時間当たりに換算した電流が抵抗７３に流れ（即ち電流変換され）、抵抗７３に流れた電流が電圧変換された後、増幅器７４に入力して増幅される。
【００９６】
増幅器７４の出力はＡＤ変換器７５でデジタル値に変換された後、マイコン／ＤＳＰ７６でデジタル処理され、イオンの量及び極性の検知が行われる。マイコン／ＤＳＰ７６の処理結果（イオンの量及び極性）はモニター７７に表示される。モニター表示としては、ＬＥＤの数や輝度、あるいはデジタル値を変化させてイオン量を表示する。また、イオン発生量の検知結果に基づき、イオン発生量が十分でない時等の警告を行うこともできる。
【００９７】
ここで、本実施の形態においては、イオン検出部７０Ａは、イオン検出部７０Ｂと比較して、イオンを発生するイオン発生装置６０Ａの近傍に配置されている。イオン発生装置６０Ａの近傍においては、生成された正負イオンが密集して存在するため、イオン検出部７０Ａの集電電極７１には、多量の正負イオンが付着することとなる。
【００９８】
一方、イオン発生装置６０Ｂから離れた位置においては、発生された正負のイオンがある程度拡散しながら送風されているため、イオン検出部７０Ｂの集電電極７１に付着する正負のイオンの量は、イオン検出部７０Ａと比較して少なくなる。
【００９９】
これらの結果、イオン検出部７０Ａの検出感度がイオン検出部７０Ｂの検出感度が高くなる。イオン検出部７０Ａおよびイオン検出部７０Ｂの検出結果は、それぞれ制御部４０に入力される。制御部４０は、検出感度の高いイオン検出部７０Ａによる検出結果を、検出感度の低いイオン検出部７０Ｂによる検出結果よりも重みづけを大きくして、全体のイオン量を検知する。
【０１００】
この結果、同一の条件で検出結果を処理する場合と比較して、検出感度の高い側の検出結果をより反映させることができるため、イオン量の検出精度を向上させることができる。
【０１０１】
全体のイオン量が所定の量を下回る場合には、上述のように警告を行なうことにより、使用者にイオン発生装置６０Ａ，６０Ｂの交換を促すこともできる。
【０１０２】
また、ダクト４Ｂ側では、イオン検出部７０Ｂをイオン発生装置６０Ｂからより離れた位置に配置することにより、イオンの付着量が少なくできる。これにより、吹出口１００Ｂ１から吹出されるイオンの量は、吹出口１００Ａ１から吹出されるイオンの量よりも多くすることができる。この場合には、イオン検出部７０Ａ，７０Ｂをイオン発生装置６０Ａ，６０Ｂの近傍に配置する場合と比較して、室内に供給できるイオン量を増加させることができる。
【０１０３】
このように、本実施の形態にあっては、イオン検出部７０Ａ，７０Ｂのうち一方の位置をイオン発生装置６０Ａ，６０Ｂから離れた位置に配置して、イオン量を検出することにより、イオン発生機１から送出されるイオン量を不必要に減らすことなく、イオン量を精度よく検知することができる。
【０１０４】
なお、上述した実施の形態においては、イオン発生機が２つの送風機５１Ａ，５１Ｂが設けられる場合を例示して説明したが、１つの送風機のみが設けられていてもよい。この場合には、送風機から吹出口に至るまでの送風経路が２つの分岐され、各送風経路のそれぞれにイオン発生装置およびイオン検出部が設けられる。
【０１０５】
（実施の形態２）
図１０は、本実施の形態に係るイオン発生機の外観斜視図である。図１１は、図１０に示すイオン発生機の正面図である。図１２は、図１０に示すＸＩＩ−ＸＩＩ線に沿った断面図である。
【０１０６】
図１０から図１２に示すように、本実施の形態に係るイオン発生機１Ａは、実施の形態１に係るイオン発生機１と比較した場合に、送風ユニット２Ａ，２Ｂが左右方向に並んで配置されている点が相違するとともに、イオン量を検出するための構成およびフローも相違する。
【０１０７】
筐体１０は、左右方向に並んで配置される送風ユニット２Ａ，２Ｂを収容する。筐体１０は、送風ユニット２Ａ，２Ｂに対応するように設けられた吸込口１１Ａ，１１Ｂおよび吹出口１００Ａ１，１００Ｂ１を有する。吸込口１１Ａ，１１Ｂは、吹出口１００Ａ１，１００Ｂ１に連通する。吸込口１１Ａおよび吸込口１１Ｂは、第１吸込口および第２吸込口に相当する。
【０１０８】
吸込口１１Ａ，１１Ｂには、エアフィルタ１９が設けられている。エアフィルタ１９は、吸込口１１から取り込まれる空気に含まれる塵埃を捕捉する。吹出口１００Ａ１，１００Ｂ１には、風向調整部として格子状のルーバー３Ａ１，３Ｂ１が設けられている。
【０１０９】
送風ユニット２Ａ，２Ｂの送風機５１Ａ，５１Ｂは、吸込口１１Ａ，１１Ｂから吸い込んだ空気を吹出口１００Ａ１，１００Ｂ１に向けて送風する。
【０１１０】
イオン発生装置６０Ａ，６０Ｂは、吸込口１１Ａ，１１Ｂと吹出口１００Ａ１，１００Ｂ１とを接続するダクト４Ａ，４Ｂ内において送風機５１Ａ，５１Ｂの送風下流側に配置される。イオン発生装置６０Ａ，６０Ｂは、送風機５１Ａ，５１Ｂによって送風される空気にイオンを付与する。
【０１１１】
ダクト４Ａ，４Ｂは、送風機５１Ａ，５１Ｂよりも送風下流側に位置する下流側ダクト４Ａ２，４Ｂ２と、送風機５１Ａ，５１Ｂよりも送風上流側に位置する上流側ダクトとを含む。下流側ダクト４Ａ２内の空間の一部は、導風板４Ａ３によって分割されている。同様に、下流側ダクト４Ｂ２内の空間の一部は、導風板によって分割されている。
【０１１２】
イオン検出部７０Ａ，７０Ｂは、下流側ダクト４Ａ２，４Ｂ２の一部を構成するように設けられている。イオン検出部７０Ａ，７０Ｂは、下流側ダクト４Ａ２，４Ｂ２内においてイオン発生装置６０Ａ，６０Ｂの送風下流側に配置されている。
【０１１３】
図１３は、図１０に示すイオン発生機においてイオン量を検出するための構成を示すブロック図である。図１３を参照して、イオン量を検出するための構成について説明する。
【０１１４】
図１３に示すように、制御部４０は、送風機５１Ａ，５１Ｂを駆動させるとともに、送風機５１Ａの回転数および送風機５１Ｂの回転数を検出する。また、制御部４０には、イオン検出部７０Ａ，７０Ｂからの検出結果が入力される。
【０１１５】
さらに、制御部４０は、イオン検出部７０Ａ，７０Ｂの検出感度を調整することができる。イオン検出部７０Ａ，７０Ｂのマイコン／ＤＳＰにて分解を変更することにより検出感度を調整することができる。このようにイオン検出部７０Ａ，７０Ｂは、検出感度を可変に調整可能に設けられている。
【０１１６】
図１４は、図１０に示すイオン発生機においてイオン量を検出するフローを示す図である。図１４を参照して、イオン発生機においてイオン量を検出するフローについて説明する。
【０１１７】
図１４に示すように、イオン量を検出するに際して、まず、工程（Ｓ１）にて、イオン発生機１Ａの電源がＯＮされ、これにより制御部４０が各種の駆動部の動作を制御できる状態となる。この際、送風ユニット２Ａおよび送風ユニット２Ｂを同時に起動させると、突入電流が多くなり、電源側に大きな負荷がかかるため、いずれか一方側から順に起動させることが好ましい。続いて、工程（Ｓ２）にて、制御部４０は、第１送風機としての送風機５１Ａおよび第２送風機としての送風機５１Ｂを駆動する。
【０１１８】
送風機５１Ａおよび送風機５１Ｂを駆動させてから所定の時間経過後に、工程（Ｓ３）にて、制御部４０は、送風機５１Ａの回転数および送風機５１Ｂの回転数を検出して、送風機５１Ａの回転数が送風機５１Ｂの回転数よりも大きいか否かを判断する。
【０１１９】
送風機５１Ａ，５１Ｂの回転数は、吸込口１１Ａ，１１Ｂからの空気の吸込量によって変化する。たとえば、送風ユニット２Ａ側が室内の壁側に配置され、送風ユニット２Ｂ側が室内の中央側に配置される場合には、壁側からは空気を取り込めないため、吸込口１１Ｂからの吸込量が、吸込口１１Ａからの吸込量よりも大きくなる。
【０１２０】
同じ出力で送風機５１Ａ，５１Ｂを駆動させた場合であっても、吸込量が大きくなる場合には、送風機の羽根部への負荷が増えるため、抵抗が大きくなる。一方、吸込量が小さくなる場合には、送風機の羽根部への負荷が軽減されるため、抵抗が小さくなる。このため、上述のように、送風ユニット２Ａ側が室内の壁側に配置され、送風ユニット２Ｂ側が室内の中央側に配置される場合には、送風機５１Ａの回転数は、送風機５１Ｂの回転数よりも大きくなる。
【０１２１】
工程（Ｓ３）にて、送風機５１Ａの回転数が送風機５１Ｂの回転数よりも大きいと判断された場合（工程（Ｓ３）；ＹＥＳ）には、工程（Ｓ４）が実施される。工程（Ｓ４）では、制御部４０は、第１イオン検出部としてのイオン検出部７０Ａの検出感度を第２イオン検出部としてのイオン検出部７０Ｂの検出感度よりも大きくする。
【０１２２】
一方で、送風ユニット２Ａ側が室内の中央側に配置され、送風ユニット２Ｂ側が室内の壁側に配置される場合には、吸込口１１Ａからの吸込量が、吸込口１１Ｂからの吸込量よりも大きくなる。このため、上述同様の理由により、送風機５１Ａの回転数は、送風機５１Ｂの回転数よりも小さくなる。
【０１２３】
工程（Ｓ３）にて、送風機５１Ａの回転数が送風機５１Ｂの回転数よりも小さいと判断された場合（工程（Ｓ３）；ＮＯ）には、工程（Ｓ５）が実施される。工程（Ｓ５）では、制御部４０は、イオン検出部７０Ａの検出感度をイオン検出部７０Ｂの検出感度よりも小さくする。
【０１２４】
工程（Ｓ４）または工程（Ｓ５）にて検出感度が調整された後には、工程（Ｓ６）にて全体のイオン量を検知する。この際、制御部４０には、イオン検出部７０Ａおよびイオン検出部７０Ｂから検出結果が入力され、制御部４０は、検出感度の高い側の検出部による検出結果を、検出感度が低い側の検出部による検出結果よりも重みづけを大きくして、全体のイオン量を検知する。
【０１２５】
吸込量が少ない側のダクトにおいては、吹出口から吹出されるイオンの量も少ないため、吸込量が多い側のダクトと比較して、ダクト内に残るイオンの量が多くなる。このため、吸込量が少ない側のイオン検出部の検出感度をあげて、検出感度の高いイオン検出部による検出結果を、検出感度の低いイオン検出部による検出結果よりも重みづけを大きくして全体のイオン量を検知することにより、生成されたイオンを有効に利用しつつ、検出精度を向上させることができる。
【０１２６】
（実施の形態３）
図１５は、本実施の形態に係るイオン発生機の断面図である。図１６は、図１５に示すイオン発生機においてイオン量を検出するための構成を示すブロック図である。図１５および図１６を参照して、本実施の形態に係るイオン発生機１Ｂについて説明する。
【０１２７】
図１５および図１６に示すように、本実施の形態に係るイオン発生機１Ｂは、実施の形態２に係るイオン発生機１Ａと比較した場合に、サーミスタ４１Ａ、サーミスタ４１Ｂ（図１６参照）をさらに備える点において相違し、これに伴ってイオン量を検出するための構成およびフローも相違する。その他の構成については、ほぼ同様である。
【０１２８】
サーミスタ４１Ａおよびサーミスタ４１Ｂは、送風機５１Ａ，５１Ｂの近傍に配置されている。たとえば、サーミスタ４１Ａおよびサーミスタ４１Ｂは、たとえば、ダクト４Ａの一部を構成する送風機５１Ａ，５１Ｂのファンケーシング等に設置されている。サーミスタ４１Ａおよびサーミスタ４１Ｂは、測定した温度結果を制御部４０に入力する。サーミスタ４１Ａおよびサーミスタ４１Ｂは、第１サーミスタおよび第２サーミスタに該当する。
【０１２９】
図１７は、図１５に示すイオン発生機においてイオン量を検出するフローを示す図である。図１７を参照して、イオン量を検出するフローについて説明する。
【０１３０】
図１７に示すように、工程（Ｓ１）から工程（Ｓ２）において、実施の形態２に準じた動作が実施される。送風機５１Ａ，５１Ｂを駆動させてから所定の時間経過後に、工程（Ｓ３Ａ）において、制御部４０は、サーミスタ４１Ａおよびサーミスタ４１Ｂによって測定された温度情報に基づいて、サーミスタ４１Ａによる測定温度がサーミスタ４１Ｂによる測定温度よりも大きいか否かを判断する。
【０１３１】
サーミスタ４１Ａおよびサーミスタ４１Ｂによる測定温度は、送風機５１Ａ，５１Ｂの回転数に影響を受ける。実施の形態２同様に、送風ユニット２Ａ側が室内の壁側に配置され、送風ユニット２Ｂ側が室内の中央側に配置される場合には、吸込口１１Ａ，１１Ｂから吸い込まれる空気の量の違いにより、送風機５１Ａの回転数は、送風機５１Ｂの回転数よりも大きくなる。送風機５１Ａの回転数が大きくなると、送風機５１Ａが高温状態となり、送風機５１Ａのファンケースも熱くなる。
【０１３２】
一方、送風機５１Ｂ側では、送風機５１Ｂの回転数は、送風機５１Ａの回転数よりも小さいため、送風機５１Ｂのファンケースの温度は送風機５１Ａのファンケースの温度よりも小さくなる。この結果、サーミスタ４１Ａによる測定温度は、サーミスタ４１Ｂによる測定温度よりも大きくなる。
【０１３３】
工程（Ｓ３Ａ）にて、サーミスタ４１Ａによる測定温度がサーミスタ４１Ｂによる測定温度よりも大きいと判断された場合（工程（Ｓ３Ａ）；ＹＥＳ）には、実施の形態２同様に工程（Ｓ４）において、イオン検出部７０Ａの検出感度をイオン検出部７０Ｂの検出感度よりも大きくする。
【０１３４】
一方で、送風ユニット２Ａ側が室内の中央側に配置され、送風ユニット２Ｂ側が室内の壁側に配置される場合には、吸込口１１Ａからの吸込量が、吸込口１１Ｂからの吸込量よりも大きくなる。これにより、送風機５１Ａの回転数は、送風機５１Ｂの回転数よりも小さくなり、送風機５１Ｂ側が送風機５１Ａ側よりも高温状態となる。この結果、サーミスタ４１Ａによる測定温度は、サーミスタ４１Ｂによる測定温度よりも小さくなる。
【０１３５】
工程（Ｓ３Ａ）にて、サーミスタ４１Ａによる測定温度は、サーミスタ４１Ｂによる測定温度よりも小さいと判断された場合（工程（Ｓ３Ａ）；ＮＯ）には、実施の形態２同様に工程（Ｓ５）において、イオン検出部７０Ａの検出感度をイオン検出部７０Ｂの検出感度よりも小さくする。
【０１３６】
工程（Ｓ４）または工程（Ｓ５）にて検出感度が調整された後には、工程（Ｓ６）にて、実施の形態２同様に方法で全体のイオン量を検知する。
【０１３７】
本実施の形態においても、制御部４０は、検出感度の高い側の検出部による検出結果を、検出感度が低い側の検出部による検出結果よりも重みづけを大きくして、全体のイオン量を検知するため、実施の形態２とほぼ同様の効果が得られる。
【０１３８】
（実施の形態４）
図１８は、本実施の形態に係るイオン発生機の断面図である。図１９は、図１８に示すイオン発生機においてイオン量を検出するための構成を示すブロック図である。図１８および図１９を参照して、本実施の形態に係るイオン発生機１Ｃについて説明する。
【０１３９】
図１８および図１９に示すように、本実施の形態に係るイオン発生機１Ｃは、実施の形態２に係るイオン発生機１Ａと比較した場合に、自己発熱型サーミスタ４２Ａ，４２Ｂ（図１９参照）をさらに備える点において相違し、これに伴って、これに伴ってイオン量を検出するための構成およびフローも相違する。その他の構成については、ほぼ同様である。
【０１４０】
自己発熱型サーミスタ４２，４２Ｂは、吸込口１１Ａ，１１Ｂから送風機５１Ａ，５１Ｂに至るまでの上流側ダクト内に配置されている。このため、通電により自己発熱させた場合には、自己発熱型サーミスタ４２Ａ，４２Ｂは、吸込口１１Ａ，１１Ｂから吸い込まれる空気によって冷却される。通電により発熱した自己発熱型サーミスタ４２Ａ，４２Ｂの温度の低下状況の如何に基づいて、吸込量の大小を検知することが可能である。自己発熱型サーミスタ４２Ａおよび自己発熱型サーミスタ４２Ｂは、第１サーミスタおよび第２サーミスタに該当する。
【０１４１】
図２０は、図１８に示すイオン発生機においてイオン量を検出するフローを示す図である。図２０を参照して、イオン量を検出するフローについて説明する。
【０１４２】
図２０に示すように、工程（Ｓ１）において、実施の形態２に準じた動作が実施される。続いて、工程（Ｓ２Ａ）において、一定時間、自己発熱型サーミスタ４２Ａ，自己発熱型サーミスタ４２Ｂを通電して、これらを発熱させる。次に、工程（Ｓ２Ｂ）にて、送風機５１Ａ，５１Ｂを駆動する。
【０１４３】
送風機５１Ａ，送風機５１Ｂを駆動させてから所定の時間経過後に、工程（Ｓ３Ｃ）にて、制御部４０は、自己発熱型サーミスタ４２Ａによる測定温度が自己発熱型サーミスタ４２Ｂによる測定温度よりも高いか否かを判断する。
【０１４４】
上述のように、自己発熱型サーミスタ４２Ａ，４２Ｂの温度の低下具合は、吸込口１１Ａ，１１Ｂの吸込量によって影響を受ける。送風ユニット２Ａ側が室内の壁側に配置され、送風ユニット２Ｂ側が室内の中央側に配置される場合には、壁側からは空気を取り込めないため、吸込口１１Ａからの吸込量は、吸込口１１Ｂからの吸込量よりも小さくなる。
【０１４５】
このため、自己発熱型サーミスタ４２Ａは、自己発熱型サーミスタ４２Ｂよりも冷却されにくくなり、自己発熱型サーミスタ４２Ａによる測定温度が自己発熱型サーミスタ４２Ｂによる測定温度よりも高くなる。
【０１４６】
工程（Ｓ３Ｃ）にて、自己発熱型サーミスタ４２Ａによる測定温度が自己発熱型サーミスタ４２Ｂによる測定温度よりも高いと判断された場合（工程（Ｓ３Ｃ）；ＹＥＳ）には、実施の形態２同様に工程（Ｓ４）において、制御部４０は、イオン検出部７０Ａの検出感度をイオン検出部７０Ｂの検出感度よりも大きくする。
【０１４７】
一方で、送風ユニット２Ａ側が室内の中央側に配置され、送風ユニット２Ｂ側が室内の壁側に配置される場合には、吸込口１１Ａからの吸込量が、吸込口１１Ｂからの吸込量よりも大きくなる。このため、自己発熱型サーミスタ４２Ａは、自己発熱型サーミスタ４２Ｂよりも冷却されやすくなり、自己発熱型サーミスタ４２Ａによる測定温度が自己発熱型サーミスタ４２Ｂによる測定温度よりも低くなる。
【０１４８】
工程（Ｓ３Ｃ）にて、自己発熱型サーミスタ４２Ａによる測定温度が自己発熱型サーミスタ４２Ｂによる測定温度よりも低いと判断された場合（工程（Ｓ３Ｃ）；ＮＯ）には、実施の形態２同様に工程（Ｓ５）において、制御部４０は、イオン検出部７０Ａの検出感度をイオン検出部７０Ｂの検出感度よりも小さくする。
【０１４９】
工程（Ｓ４）または工程（Ｓ５）にて検出感度が調整された後には、工程（Ｓ６）にて、実施の形態２同様に方法で全体のイオン量を検知する。
【０１５０】
本実施の形態においても、制御部４０は、検出感度の高い側の検出部による検出結果を、検出感度が低い側の検出部による検出結果よりも重みづけを大きくして、全体のイオン量を検知するため、実施の形態２とほぼ同様の効果が得られる。
【０１５１】
なお、上述した実施の形態２から４においては、イオン発生機１Ａ〜１Ｃが室内の壁側に配置されることにより、吸込口１１Ａ，１１Ｂのうちの一方からの吸込量が少なくなる場合を例示して説明したが、これに限定されない。吸込口１１Ａ，１１Ｂに設けられたエアフィルタ１９Ａの一方が塵埃等により汚染されており、これにより吸込口１１Ａ，１１Ｂのうちの一方からの吸込量が少なくなる場合にも、本発明を適用することができる。
【０１５２】
（実施の形態５）
図２１は、本実施の形態に係るイオン発生機の外観斜視図である。図２２は、図２１に示すＸＸＩＩ−ＸＸＩＩ線に沿った断面図である。図２１および図２２を参照して、本実施の形態に係るイオン発生機１Ｄについて説明する。
【０１５３】
図２１および図２２に示すように、本実施の形態に係るイオン発生機１Ｄは、筐体１０、ダクト４、送風機５１、ルーバー３Ｄ、イオン発生装置６０および脚部９０を備える。
【０１５４】
筐体１０は、左側面部１０ａ、右側面部１０ｂ、底面部１０ｃを含む。左側面部１０ａおよび右側面部１０ｂは、左右方向（Ｘ軸方向）に幅を持って設けられている。左側面部１０ａおよび右側面部１０ｂは、底面部１０ｃよりも下方（Ｚ軸負方向）に突出するように設けられている。底面部１０ｃは、底面視した場合に略矩形形状を有する。
【０１５５】
筐体１０には、吸込口１１および吹出口１００Ｄ１が設けられている。吸込口１１は、筐体１０の底面部１０ｃに設けられている。吸込口１１には、エアフィルタ１９が設けられている。エアフィルタ１９は、吸込口１１から取り込まれる空気に含まれる塵埃を捕捉する。
【０１５６】
吹出口１００Ｄ１は、筐体１０の前面上部に設けられている。吹出口１００Ｄ１には、風向調整部として、格子状のルーバー３Ｄが取り付けられている。吹出口１００Ｄ１および吸込口１１は、ダクト４によって接続されている。ダクト４は、送風機５１よりも送風上流側に位置する上流側ダクト４Ａ１および送風機５１よりも下流側に位置する下流側ダクト４Ａ２とを含む。
【０１５７】
下流側ダクト４Ａ２内には、導風板４Ａ３が設けられている。導風板４Ａ３は送風方向に沿って設けられ、下方側から上方側に向かうにつれて前方に湾曲するように設けられている。導風板４Ａ３は、下流側ダクト４Ａ２内を上方側と下方側に分割する。
【０１５８】
送風機５１は、筐体１０内に収容される。具体的には、送風機５１は、送風経路を規定するダクト４内に配置される。送風機５１としては、たとえば、回転中心に対し外縁側が回転方向へ変位する複数の羽根を有する円筒形状をなす多翼羽根車を有するクロスフローファンが用いられる。送風機５１は、吸込口１１から吸い込んだ空気を吹出口１００Ｄ１に向けて送風する。
【０１５９】
イオン発生装置６０は、送風機によって送風される空気にイオンを付与する。イオン発生装置６０は、下流側ダクト４Ａ２の一部を構成する。イオン発生装置６０は、２つのイオン発生素子部６０１を含む。イオン発生素子部６０１は、正イオンを発生させるための放電電極および誘導電極と、負イオンを発生させるための放電電極および誘導電極とを備える。これら放電電極と誘導電極との間に大きな電位差を生じさせることで正イオンおよび負イオンを発生させることができる。
【０１６０】
イオン発生装置６０は、下流側ダクト４Ａ２内の下端側に設けられている。このため、分割された下流側ダクト４Ａ２内の上方側よりも下方側の空間を通過する空気流に多くのイオンが含まれることになる。
【０１６１】
分割された下流側ダクト４Ａ２内の上方側の空間は、下方側の空間よりも外周側にあるため、外周側に位置する空気流の風速は、内周側に位置する空気流の風速よりも速くなる。このため、吹出口１００Ｄ１の上方側から吹出される空気流は、エアカーテンとして機能し、イオンの上方への拡散を抑制する。
【０１６２】
脚部９０は、筐体１０を支持可能に筐体１０の底面部１０ｃ側に設けられている。脚部９０は、前方側に位置する前方側脚部９０Ａと後方側に位置する後方側脚部９０Ｂとを含む。脚部９０は、底面部１０ｃ側に設けられている。具体的には、脚部９０は、左側面部１０ａおよび右側面部１０ｂのうち底面部１０ｃから下方に突出する部分の内側表面に設けられている。
【０１６３】
図２３から図２６は、イオン発生機の第１の姿勢から第４の姿勢を示す図である。図２３から図２６を参照して、イオン発生機の姿勢について説明する。
【０１６４】
図２３から図２６に示すように、脚部９０は、底面部１０ｃ側において、筐体１０の四隅に設けられている。脚部９０は、底面部１０ｃに平行な方向に回転軸を有し、回転軸まわりに回動可能に設けられている。
【０１６５】
脚部９０は、底面視した場合に全体が底面部１０ｃに重なるように底面部１０ｃに略平行に配置された状態から、少なくとも一部が底面部１０ｃの外側にはみ出るように底面部１０ｃに略平行に配置される状態まで、底面部１０ｃの下方にて回動可能に設けられている。
【０１６６】
具体的には、脚部９０は、回転軸９１および支柱部９２を含む。回転軸９１は、左右方向（Ｘ軸方向）に延在する。回転軸９１は、左側面部１０ａおよび右側面部１０ｂのうち底面部１０ｃから下方に突出する部分の内側表面から内側に向けて左右方向に突出するように設けられている。
【０１６７】
支柱部９２は、貫通孔を有する。当該貫通孔が回転軸９１に嵌り込むことにより回転軸に取り付けられている。支柱部９２は、外部から所定のトルクが作用された場合に回転軸周りに回動するように構成されている。
【０１６８】
脚部９０の全体が底面部１０ｃと重なるように配置された状態から、前方側脚部９０Ａは、前方側に向けて回転軸９１周りに回動するように設けられ、後方側脚部９０Ｂは、後方側に向けて回転軸９１周りに回転するように設けられている。
【０１６９】
図２３に示すように、第１の姿勢においては、底面視した場合に、脚部９０の全体は、前後方向（Ｙ軸方向）に沿って底面部１０ｃと重なるように配置されている。この状態においては、左側面部１０ａおよび右側面部１０ｂが床面上に配置される。
【０１７０】
左側面部１０ａおよび右側面部１０ｂが床面上に配置された状態においては、吹出口１００Ｄ１から吹出される風の位置をある程度低くすることができ、たとえば、イオン発生機１Ｄの中央領域から前方へ１．０ｍ離れた位置で床面から１．２ｍの高さの位置にイオンを多く送出することができる。１．２ｍの高さ位置は、使用者が椅子に座った際の頭部近傍の位置に該当する。
【０１７１】
図２４に示すように、第２の姿勢においては、脚部９０は、第１の姿勢から略９０°回転させた位置に位置する。脚部９０は、直立した姿勢となる。この状態においては、第１の姿勢に対して、底面部１０ｃが全体的に高い位置に位置することとなる。これにより、筐体１０の高さ位置も全体的に高くすることができる。
【０１７２】
このため、第２の姿勢においては、使用者の頭部に直接風が当たることを回避しつつ、相当程度のイオンを使用者に向けて送出することができる。また、底面部１０ｃが高くなることにより、床面と底面部１０ｃとの間隔が広くなる。この結果、長期間の使用により空気中に含まれる塵埃によって汚染されたエアフィルタ１９や床面の清掃を容易に行なうことができる。
【０１７３】
図２５に示すように、第３の姿勢においては、前方側脚部９０Ａは、第１の姿勢から略９０°回転させた位置に位置し、後方側脚部９０Ｂは、第１の姿勢から略１８０°回転させた位置に位置する。
【０１７４】
この状態においては、前方側に向かうにつれて床面からの高さが高くなるように底面部１０ｃが傾斜する。これにより、第３の姿勢では、第１の姿勢と比較して吹出口１００Ｄ１が上方に傾斜する。
【０１７５】
このため、第３の姿勢においては、より高い位置に向けてイオンを含む空気を吹出すことができる。このため、第３の姿勢においても、使用者の頭部に直接風が当たることを回避しつつ、相当程度のイオンを使用者に向けて送出することができる。
【０１７６】
図２６に示すように、第４の姿勢においては、前方側脚部９０Ａおよび後方側脚部９０Ｂのいずれも、第１の姿勢から略１８０°回転させた位置に位置する。この状態においては、左側面部１０ａおよび右側面部１０ｂが床面上に配置される。また、前方側脚部９０Ａは、底面部１０ｃに略平行に沿って配置され、かつ、前方側脚部９０Ａの先端側が底面部１０ｃの前方に食み出している。後方側脚部９０Ｂは、底面部１０ｃに略平行に沿って配置され、かつ、後方側脚部９０Ｂの先端側が底面部１０ｃの後方に食み出している。
【０１７７】
このため、前方側脚部９０Ａおよび後方側脚部９０Ｂは、筐体１０が前方または後方に傾斜した際に、床面と接触して筐体１０を支えることにより、イオン発生機１Ｄの転倒を防止する。
【０１７８】
以上のように、脚部９０が、筐体１０の底面部１０ｃと平行な方向に回転軸９１を有し、回転軸９１まわりに回動可能に設けられていることにより、本実施のイオン発生機１Ｄは、簡易な構成で筐体の姿勢を変更できるとともに、筐体の高さ位置を変更することができる。
【０１７９】
なお、本実施の形態においては、脚部９０が、左側面部１０ａおよび右側面部１０ｂのうち底面部１０ｃから下方に突出する部分の内側表面に設けられている場合を例示して説明したが、これに限定されず、脚部９０が回動可能な限り、底面部１０ｃに設けられていてもよい。脚部９０は、左側面部１０ａおよび右側面部１０ｂのうち底面部１０ｃから下方に突出する部分の内側表面に設けられていてもよい。
【０１８０】
（実施の形態６）
図２７および図２８は、本実施の形態に係るイオン発生機１Ｅの第５の姿勢および第６の姿勢を示す側面図である。なお、イオン発生機１Ｅの第５の姿勢および第６の姿勢は、実施の形態５に係るイオン発生機１Ｄの第２の姿勢および第３の姿勢に対応する。図２７および図２８を参照して、本実施の形態に係るイオン発生機１Ｅについて説明する。
【０１８１】
図２７および図２８に示すように、本実施の形態に係るイオン発生機１Ｅは、実施の形態５に係るイオン発生機１Ｄと比較した場合に、回転軸９１Ａ，９１Ｂが筐体１０内にあり、前方側脚部９０Ａ１および後方側脚部９０Ｂ１がカバー部材９３、キャスター９４および回転ベース９５Ａ，９５Ｂをさらに含む点において相違する。その他の構成については、ほぼ同様である。
【０１８２】
回転軸９１Ａ，９１Ｂは、筐体１０内において左右方向（Ｘ軸方向）に延在する。回転ベース９５Ａ，９５Ｂは、回転軸９１Ａ，９１Ｂ周りに回動可能に設けられている。
【０１８３】
回転ベース９５Ａ，９５Ｂには、支柱部９２が固定されている。支柱部９２の先端（図２７において下端）にはキャスター９４が取り付けられている。キャスター９４の車輪は、たとえば球体によって構成されている。当該球体を床面上で転がせることにより、イオン発生機１Ｅを移動させることができる。
【０１８４】
カバー部材９３は、たとえばゴムや熱可塑性エラストマー樹脂から成る弾性体によって構成されている。カバー部材９３は、前方側脚部９０Ａ１および後方側脚部９０Ｂ１の周囲を覆い、前方側脚部９０Ａ１および後方側脚部９０Ｂ１の延在方向に沿って移動可能に設けられている。
【０１８５】
図２９および図３０は、図２７に示すカバー部材が第１位置および第２位置にある状態を示す図である。図２９および図３０を参照して、カバー部材９３について説明する。
【０１８６】
図２９に示すように、カバー部材９３は、第１位置に位置する場合、すなわち、脚部９０の根元（床面に遠い側の端部）側に位置する場合には、キャスター９４の移動を規制しないように設けられている。
【０１８７】
具体的には、カバー部材９３の内部は、第１の位置にある場合には、キャスター９４の車輪に接触しないように設けられている。これにより、カバー部材９３が第１の位置にある場合には、車輪が自由に回転することができる。
【０１８８】
図３０に示すように、カバー部材９３は、第２位置に位置する場合、すなわち、脚部９０の先端（床面に近い側の端部）側に位置する場合には、キャスター９４の移動を規制するように設けられている。
【０１８９】
具体的には、カバー部材９３の内部は、第２位置に位置する場合には、キャスター９４の車輪を挟みこむように構成されている。これにより、カバー部材９３が第２の位置にある場合には、キャスター９４の車輪の回転が不能となる。
【０１９０】
カバー部材９３は、たとえばネジ等の締結部材を用いて支柱部９２に締結固定される。この場合には、第１の位置と第２の位置との移動は、締結部材を緩めて固定を解除した後に行なわれる。
【０１９１】
また、カバー部材９３は、バネ等の弾性部材によって第１の位置側または第２の位置側に付勢されていてもよい。この場合には、カバー部材９３の内部には、支柱部９２またはキャスター９４に係合する係合部を有することが好ましい。
【０１９２】
カバー部材９３を付勢力に抗して第２の位置側または第１の位置側にカバー部材９３を移動させて、当該係合部を支柱部９２またはキャスター９４に係合させる。また、係合部による係合を解除して付勢力を発現させることにより、カバー部材９３を元の位置に戻すことができる。
【０１９３】
再び図２７に示すように、第５の姿勢においては、前方側脚部９０Ａ１および後方側脚部９０Ｂ１は、直立した姿勢となる。この状態においては、第１の姿勢に対して、底面部１０ｃが全体的に高い位置に位置することとなる。これにより、筐体１０の高さ位置も全体的に高くすることができる。
【０１９４】
この際、カバー部材９３は、第２の位置にあることが好ましい。カバー部材９３が第２の位置に位置することにより、その先端９３ａが床面に接触して、カバー部材９３がキャスター９４を完全に覆う。また、カバー部材９３の内部がキャスター９４を挟み込むことで移動を規制する。これにより、イオン発生機１Ｅを安定して床面上に設置することができる。
【０１９５】
図２８に示すように、第６の姿勢においては、後方側脚部９０Ｂ１が底面部１０ｃの後方に食み出し、前方側脚部９０Ａ１が底面部１０ｃに対して直立した状態となることにより、前方側に向かうにつれて床面からの高さが高くなるように底面部１０ｃが傾斜する。
【０１９６】
この際、カバー部材９３が支柱部９２やキャスター９４の周囲を覆うことにより、前方側脚部９０Ａ１および後方側脚部９０Ｂ１は、カバー部材９３を介して床面に接触する。これにより、キャスター９４のベース（不図示）や支柱部９２が直接床面に接触することを防止ができる。
【０１９７】
以上のように、本実施の形態においても、脚部９０が、筐体１０の底面部１０ｃと平行な方向に回転軸９１Ａ，９１Ｂを有し、回転軸９１Ａ，９１Ｂまわりに回動可能に設けられていることにより、簡易な構成で筐体１０の姿勢を変更できるとともに、筐体１０の高さ位置を変更することができる。
【０１９８】
また、脚部９０の先端側にカバー部材９３を設けたことにより、脚部９０を回転させて筐体１０を傾斜させた状態で支持する場合であっても、カバー部材９３を介して脚部９０を床面に接触させることができる。これにより、床面を傷つけることを防止することができる。
【０１９９】
さらに、カバー部材９３を移動可能に構成し、キャスター９４の車輪の回転防止手段として機能させることにより、キャスター９４が設けられた場合でも、安定してイオン発生機１Ｅを床面に設置することができる。
【０２００】
以上、本発明の実施の形態について説明したが、今回開示された実施の形態はすべての点で例示であって制限的なものではない。本発明の範囲は特許請求の範囲によって示され、特許請求の範囲と均等の意味および範囲内でのすべての変更が含まれる。
【符号の説明】
【０２０１】
１，１Ａ，１Ｂ，１Ｃ，１Ｄ，１Ｅ  イオン発生機、２Ａ，２Ｂ  送風ユニット、３Ａ，３Ｂ  風向調整ユニット、３Ａ１，３Ｂ１，３Ｄ  ルーバー、４，４Ａ，４Ｂ  ダクト、４Ａ２，４Ｂ２  下流側ダクト、４Ａ３  導風板、４Ａ１  上流側ダクト、５  第１空気流、５ａ，６ａ  中心線、６  第２空気流、１０  筐体、１０ａ  左側面部、１０ｂ  右側面部、１０ｃ  底面部、１１，１１Ａ，１１Ｂ  吸込口、１２  収容部、１４，１５  開口部、１８Ａ，１８Ｂ  防護網、１９，１９Ａ，１９Ｂ  エアフィルタ、２０Ａ，２０Ｂ  風向調整部、２１Ａ，２１Ｂ  第１風向調整板、２１ａ，２２ａ  基端部、２２Ａ，２２Ｂ  第２風向調整板、２３Ａ  接続部、４０  制御部、４１Ａ，４１Ｂ  サーミスタ、４２Ａ，４２Ｂ  自己発熱型サーミスタ、５１，５１Ａ，５１Ｂ  送風機、５２Ａ，５２Ｂ  送風経路、５３Ａ，５３Ｂ  送風ダクト、６０，６０Ａ，６０Ｂ  イオン発生装置、６１  ケース、６２  上部ケース、６２ａ，６２ｂ  収容部、６３  下部ケース、６４ａ，６４ｂ  送風空間、６５ａ，６５ｂ，６５ｃ，６５ｄ  放電電極、６５ｅ  誘導電極、６６  高電圧発生回路部、６８  連通部、６９ａ，６９ｂ  基板、７０  センサー基板、７０Ａ，７０Ｂ  イオン検出部、７０ａ  イオン集電面、７０ｂ  部品搭載面、７１  集電電極、７１ａ  スルーホール、７１ｂ  電極、７２  計測部、７３  抵抗、７４  増幅器、７５  変換器、７７  モニター、８１Ａ，８２Ａ  第１漏気防止部、８１Ｂ，８２Ｂ  第２漏気防止部、９０  脚部、９０Ａ，９０Ａ１  前方側脚部、９０Ｂ，９０Ｂ１  後方側脚部、９１，９１Ａ，９１Ｂ  回転軸、９２  支柱部、９３  カバー部材、９３ａ  先端、９４  キャスター、９５Ａ，９５Ｂ  回転ベース、１００，１００Ａ，１００Ｂ  吹出ダクト、１００Ａ１，１００Ｂ１，１００Ｄ１  吹出口、１００Ａ２  開口端部、１０１  支持部、１０５  駆動機構、６０１  イオン発生素子部、７００  室内、７００ｂ  床面、７００ｃ，７００ｄ  側壁。
【図１】
2016106677.tif 000003
【図２】
2016106677.tif 000004
【図３】
2016106677.tif 000005
【図４】
2016106677.tif 000006
【図５】
2016106677.tif 000007
【図６】
2016106677.tif 000008
【図７】
2016106677.tif 000009
【図８】
2016106677.tif 000010
【図９】
2016106677.tif 000011
【図１０】
2016106677.tif 000012
【図１１】
2016106677.tif 000013
【図１２】
2016106677.tif 000014
【図１３】
2016106677.tif 000015
【図１４】
2016106677.tif 000016
【図１５】
2016106677.tif 000017
【図１６】
2016106677.tif 000018
【図１７】
2016106677.tif 000019
【図１８】
2016106677.tif 000020
【図１９】
2016106677.tif 000021
【図２０】
2016106677.tif 000022
【図２１】
2016106677.tif 000023
【図２２】
2016106677.tif 000024
【図２３】
2016106677.tif 000025
【図２４】
2016106677.tif 000026
【図２５】
2016106677.tif 000027
【図２６】
2016106677.tif 000028
【図２７】
2016106677.tif 000029
【図２８】
2016106677.tif 000030
【図２９】
2016106677.tif 000031
【図３０】
2016106677.tif 000032